(57)【要約】【課題】引出形遮断器において、スクリューロックにメインスクリューのピンが係合したままの状態で引出ハンドルを操作すると、ピンが折損し、その後は遮断器の引出及び挿入操作ができなくなるという課題があった。【解決手段】スクリューロック１０とメインスクリュー５のピン６とが係合してメインスクリュー５の回動が阻止されているときは、スクリューロック１０に当接しているロックプレート１３の端部１３１が、メインスクリュー５を回動させる引出ハンドル７に係合して引出ハンドル７の回動を阻止するように構成したもので、引出ハンドルの操作員にメインスクリューがロック状態であることを確実に認識させ、ロック状態にあるメインスクリューを無理に回動させることによる構成部品の破損を防止できるようにした。【選択図】図１
2008131818.tif 000002
【特許請求の範囲】
【請求項１】
遮断器本体を挿入及び引出し自在に装着する引出枠と、前記引出枠に固定されたインサートスクリューと、前記遮断器本体に回動自在に設けられ前記インサートスクリューに螺合し得るメインスクリューと、前記遮断器本体に設けられ、第１の位置にあるとき前記メインスクリューに係合して前記メインスクリューの回動を阻止し第２の位置にあるとき前記係合を解いて前記メインスクリューの回動を可能とするスクリューロックと、前記遮断器本体に設けられ前記スクリューロックと係合して前記スクリューロックを前記第１の位置と前記第２の位置との間で移動させ得るロックプレートとを備え、引出ハンドルにより前記遮断器本体の外部から前記メインスクリューを回動させて前記メインスクリューと前記インサートスクリューとの前記螺合を進め又は前記螺合を解くことにより、前記引出枠に対して前記遮断器本体を挿入し又は引出すようにした引出形遮断器であって、前記スクリューロックが前記第１の位置にあるときは、前記ロックプレートが前記引出ハンドルに係合して前記引出ハンドルの回動を阻止するように構成されたことを特徴とする引出形遮断器。
【請求項２】
前記遮断器本体に設けられ前記引出ハンドルと係合して回動する回動部材を備え、前記スクリューロックが前記第１の位置にあるときは、前記ロックプレートが前記回動部材に当接して前記引出ハンドルの回動を阻止するように構成されたことを特徴とする請求項１に記載の引出形遮断器。
【請求項３】
請求項１に記載の引出形遮断器に用いる引出ハンドルであって、前記スクリューロックが前記第１の位置にあるときは前記ロックプレートに当接して回動が阻止される当接部を備えたことを特徴とする引出形遮断器の引出ハンドル。
【発明の詳細な説明】
【技術分野】
【０００１】
この発明は、引出枠に対して引出し及び挿入自在に装着される遮断器本体を有する引出形遮断器、及びその引出形遮断器に用いる引出ハンドルに関するものである。
【背景技術】
【０００２】
引出ハンドルを用いて、引出枠から遮断器本体を引出し或いは引出枠に遮断器本体を挿入させるようにした引出形遮断器として、引出枠に固定されたインサートスクリューと、遮断器本体の所定位置に回動自在に設けられインサートスクリューに螺合し得るメインスクリューと、メインスクリューに固定されたピンに係合してメインスクリューの回動をロックする凹部を有しその係合が行われる方向にスクリューバネにより常時付勢されるスクリューロックと、スクリューロックをスクリューバネの付勢力に抗して押圧し凹部とピンとの係合を解除してメインスクリューの回動を可能とするロックプレートと、を備えた構成が既に提案されている（例えば、特許文献1参照）。
【０００３】
この特許文献１に示された引出形遮断器は、引出枠に遮断器本体を挿入するときは、先ず、ロックプレートの一端をロックプレートバネに抗して遮断器本体の枠体内の方向に押し込み、ロックプレートに設けた段部を遮断器本体の枠体に設けた角穴の内周縁に係合させてロックプレートをロック解除位置に保持する。ロックプレートがロック解除位置に保持されると、このロックプレートによりスクリューロックがスクリューロックバネの付勢力に抗して押圧された状態が維持され、スクリューロックの凹部とメインスクリューのピンとの係合が解除されてメインスクリューの回動が可能となる。
【０００４】
次に、この状態で外部から引出ハンドルをメインスクリューに係合させてこれを回動し、メインスクリューを引出枠に固定されているインサートスクリューに螺合させる。そしてその螺合を進めることにより、遮断器本体を引出枠側に引き寄せて引出枠に挿入する。一方、遮断器本体を引出枠から引出すときは、前述と同様に、先ず、ロックプレートの一端をロックプレートバネに抗して遮断器本体の枠体内の方向に押し込むことにより、メインスクリューの回動を可能とし、外部から引出ハンドルをメインスクリューに係合させ、メインスクリューを遮断器本体の挿入時とは逆方向に回動してインサートスクリューとの螺合を解くことにより、遮断器本体を引出枠から引き外す方向に移動させ引出枠から引外す。
【０００５】
【特許文献１】実開平５−２９２１１号公報
【発明の開示】
【発明が解決しようとする課題】
【０００６】
従来の引出形遮断器は以上のように構成されており、遮断器本体を引出枠から引外すとき又は遮断器本体を引出枠へ挿入するとき、引外ハンドルの操作人が、スクリューロックによるメインスクリューのロックの解除の必要性を認識せず、そのロックを解くことなく引出ハンドルをメインスクリューに係合して回動させると、スクリューロックの凹部と係合したままのメインスクリューのピンに過大な力が加わりピンが折損することがあり、ピンが折損すると、遮断器本体を引出枠から引出し或いは遮断器本体を引出枠に挿入することができなくなるという課題があった。
【０００７】
この発明は、上記のような従来の引出形遮断器の課題を解決するためになされたもので、メインスクリューがロック状態であることを引外ハンドルの操作人に認識させ得るようにした引出形遮断器を得ることを目的とする。
【０００８】
又、この発明は、メインスクリューがロック状態であることを確実に引外ハンドルの操作人に認識させ得るようにした引出形遮断器の引出ハンドルを得ることを目的とする。
【課題を解決するための手段】
【０００９】
この発明に係る引出形遮断器は、遮断器本体を挿入及び引出し自在に装着する引出枠と、前記引出枠に固定されたインサートスクリューと、前記遮断器本体に回動自在に設けられ前記インサートスクリューに螺合し得るメインスクリューと、前記遮断器本体に設けられ、第１の位置にあるとき前記メインスクリューに係合して前記メインスクリューの回動を阻止し第２の位置にあるとき前記係合を解いて前記メインスクリューの回動を可能とするスクリューロックと、前記遮断器本体に設けられ前記スクリューロックと係合して前記スクリューロックを前記第１の位置と前記第２の位置との間で移動させ得るロックプレートとを備え、引出ハンドルにより前記遮断器本体の外部から前記メインスクリューを回動させて前記メインスクリューと前記インサートスクリューとの前記螺合を進め又は前記螺合を解くことにより、前記引出枠に対して前記遮断器本体を挿入し又は引出すようにした引出形遮断器であって、前記スクリューロックが前記第１の位置にあるときは、前記ロックプレートが前記引出ハンドルに係合して前記引出ハンドルの回動を阻止するように構成されたものである。
【００１０】
又、この発明に係る引出形遮断器の引出ハンドルは、遮断器本体を挿入及び引出し自在に装着する引出枠と、前記引出枠に固定されたインサートスクリューと、前記遮断器本体に回動自在に設けられ前記インサートスクリューに螺合し得るメインスクリューと、前記遮断器本体に設けられ、第１の位置にあるとき前記メインスクリューに係合して前記メインスクリューの回動を阻止し第２の位置にあるとき前記係合を解いて前記メインスクリューの回動を可能とするスクリューロックと、前記遮断器本体に設けられ前記スクリューロックと係合して前記スクリューロックを前記第１の位置と前記第２の位置との間で移動させ得るロックプレートとを備え、引出ハンドルにより前記遮断器本体の外部から前記メインスクリューを回動させて前記メインスクリューと前記インサートスクリューとの前記螺合を進め又は前記螺合を解くことにより、前記引出枠に対して前記遮断器本体を挿入し又は引出すようにした引出形遮断器に用いる引出ハンドルであって、前記スクリューロックが前記第１の位置にあるときは前記ロックプレートに当接して回動が阻止される当接部を備えた備えたものである。
【発明の効果】
【００１１】
この発明に係る引出形遮断器によれば、スクリューロックが第１の位置にあるときは、ロックプレートが引出ハンドルに係合して引出ハンドルの回動を阻止するように構成されているので、引出ハンドルの操作者にメインスクリューがロック状態であることを確実に認識させることができ、ロック状態にあるメインスクリューを無理に回動させることがなく引出形遮断器の内部の構成部品が破損することがない。
【００１２】
又、この発明に係る引出形遮断器の引出ハンドルによれば、スクリューロックが前記第１の位置にあるときはロックプレートに当接して回動が阻止される当接部を備えているので、引出ハンドルの操作者にメインスクリューがロック状態であることを確実に認識させることができ、ロック状態にあるメインスクリューを無理に回動させることがなく引出形遮断器の内部の構成部品が破損することがない。
【発明を実施するための最良の形態】
【００１３】
実施の形態１．
図１は、この発明の実施の形態１に係る引出形遮断器と引出ハンドルを示す斜視図、図２及び図３は、この発明の実施の形態１に係る引出形遮断器とその引出ハンドルの異なる操作状態を示す図１のＡ−Ａ線に沿う矢印方向の部分断面図、図４は、この発明の実施の形態１に係る引出形遮断器のメインスクリューをロックするロック機構の概略を示す斜視図、図５は、この発明の実施の形態１に係る引出形遮断器のロックプレートとカバーの部分拡大図、図６は、図２のＢ−Ｂ線に沿う矢印方向の断面を含む一部分の正面図である。
【００１４】
図１乃至図６に於いて、引出形遮断器１００は、引出枠１と、この引出枠１に装着される遮断器本体２とから構成されている。引出枠１に挿入された遮断器本体２は、引出枠１から引出すことが可能であり、且つ引出枠１から引出された遮断器本体２は、引出枠１へ挿入することが可能である。引出枠１の遮断器本体２を装着する側には、インサートスクリュー３が遮断器本体２側に突出するよう固定され、インサートスクリュー３の端部には雌ネジが形成されている。メインスクリュー５は、遮断器本体２の定位置に回転自在に装着され、その一端には六角穴５１が形成され、他端には雄ねじ５２が形成されている。メインスクリュー５の雄ネジ５２はインサートスクリュー４の雌ネジに螺合することができる。又、メインスクリュー５の中間部には鍔部５３が形成され、更にこの鍔部５３と六角穴５１との中間部にピン６が固定されている。
【００１５】
引出ハンドル７は、その先端部７１が六角形状に形成されており、その先端部７１をメインスクリュー５の六角穴５１に挿入することにより、メインスクリュー５を回動させることができる。図２及び図３に示すように、引出機構フレーム８は、遮断器本体２のフレーム９の内部に固定されている。メインスクリュー５は、フレーム９に設けられた貫通穴９１を回動自在に貫通し、引出機構フレーム８により回動自在に支持されている。メインスクリュー５の鍔部５３は、フレーム９に当接することによりメインスクリュー７の前進（図２及び図３の上方向移動）を規制する。又、メインスクリュー５に固定されているピン６は、引出機構フレーム８に設けられている桟８１に当接することにより、メインスクリュー５の後進（図２及び図３の下方向移動）を規制する。
【００１６】
スクリューロック１０は、ほぼコ字状に折り曲げられた形状をしており、その中央部に貫通穴１０１を備え、この貫通穴１０１をメインシャフト５が回動自在に貫通している。スクリューロック１０は、メインスクリュー５の鍔部５３とスクリューロック１０との間に設けられたスクリュ−ロックバネ１１により、常時、ピン６の方向へ付勢されている。スクリューロック１０の折り曲げ部には、貫通穴１０１に接した凹部１０２が形成されており、この凹部１０２は、スクリューロック１０がスクリューロックバネ１１に付勢されて図２に示す位置にあるとき、メインスクリュー５に固定されているピン６に係合する。又、スクリューロック１０の一部に、係合片１０３が設けられている。
【００１７】
この発明に於いて、スクリューロック１０の凹部１０２がメインスクリュー５のピンに係合しているときのスクリューロック１０の位置を第１の位置と称し、その係合が解かれたときのスクリューロック１０の位置を第２の位置と称する。従がって、スクリューロック１０の第１の位置は、凹部１０２とピン６とが係合を開始した位置からピン６が凹部１０２の底部に達するまでの位置に相当し、又、スクリューロック１０の第２の位置は、メインスクリュー５の鍔部５３の表面の位置から凹部１０２とピン６との係合を開始する直前までの位置に相当する。
【００１８】
引出機構フレーム８に固定されたカバー１２は、図４に示すように、引出ハンドル７を挿入するための丸穴１２１と、後述するロックプレート１３の一端１３１を突出させるための角穴１２２とを有している。このカバー１２は、遮断器本体２のフレーム９の全面部に配置されている。引出機構フレーム８に支持されたロックプレート１３は、その長さ方向（図２及び図３の上下方向）に移動可能に設けられており、その一端１３１はカバー１２の角穴１２１に挿入され、他端１３２はスクリューロック１０の係合片１０３に当接している。
【００１９】
ロックプレート１３は、引出機構フレーム８に設けられているロックプレートバネ（図示せず）により、常時、一端１３１がカバー１２の角穴１２２から突出する方向に付勢されている。又、ロックプレート１３の一端１３１には段部１３３が形成されており、図２に示す位置にあるロックプレート１３の一端１３１をロックプレートバネに抗して遮断器本体２側に押し込めば、図３に示すように、その段部１３３がカバー１２の角穴１２２の内周縁に係合し、ロックプレート１３はその状態に保持される。
【００２０】
図５は、ロックプレート１３が図２に示す位置にあるときの状態を示している。図５に於いて、ロックプレート１３の一端１３１は、カバー１２の角穴１２２を貫通して遮断器本体１の外部に突出している。この状態から、ロックプレート１３の一端１３１を図３に示す位置まで遮断器本体２側に押し込めば、ロックプレート１３の段部１３３がカバー１２の角穴１２２の内周縁に係合してその位置に保持される。
【００２１】
ロックプレート１３の段部１３３がカバー１２の角穴１２２の内周縁に係合した状態で、遮断器本体２が引出枠１に対して所定の挿入位置まで挿入されると、遮断器本体２の位置を検出する位置検出機構（図示せず）がその遮断器本体が引出枠１に対して所定の挿入位置にあることを検出し、係合解除部材１４を介してロックプレート１３を図５の上方に押し上げ、ロックプレート１３の段部１３３とカバー１２の角穴１２２の内周縁との係合を解除させる。これにより、ロックプレート１３は、ロックプレートバネにより図２及び図５に示す位置に復帰する。
【００２２】
又、遮断器本体２が引出枠１に対して所定の引出位置まで引出された場合も、上記と同様に、遮断器本体２の位置を検出する位置検出機構がその遮断器本体が引出枠１に対して所定の引出位置にあることを検出し、係合解除部材１４を介してロックプレート１３を図５の上方に押し上げ、ロックプレート１３の段部１３３とカバー１２の角穴１２２の内周縁との係合を解除させ、ロックプレート１３を図２及び図５に示す位置に復帰させる。
【００２３】
引出ハンドル７は、軸部７１の一端に把手７２を備え、他端にメインスクリュー５の六角穴５１に係合し得る六角柱７３を備えている。又、引出ハンドル７の他端の近傍には、引出ハンドル７の軸部７１の周面から突出する４個の当接部７４１、７４２、７４３、７４４が固定されている。これらの当接部７４１乃至７４４は、夫々、軸部７１の軸心の周りにほぼ９０度の間隔で配置されている。引出ハンドル７が、カバー１２の丸穴１２１を貫通してその六角柱７３がメインスクリュー５の六角穴５１に係合した図２及び図６に示す位置にあるとき、引出ハンドル７を時計方向及び反時計方向の何れの方向の回動させようとしても、４個の当接部７４のうちの一つがロックプレート１３の一端１３１に当接することとなり、その回動が阻止される。
【００２４】
次に、以上のように構成されたこの発明の実施の形態１に係る引出形遮断器とその引出ハンドルの動作について説明する。今、ロックプレート１３は、その一端１３１が図２及び図５に示すようにカバー１２の角穴１２２から突出した状態にあるとする。この状態で、図２及び図６に示すように引出ハンドル７の六角柱７３を、カバー１２の丸穴１２１を介してメインスクリュー５の六角穴５１に挿入しても、ロックプレート１３の一端１３１はカバー１２の角穴１２２から突出したままである。従がって、引出ハンドル７を時計方向に回動させようとした場合、図６に良く示さてれるように、引出ハンドル７の当接部７４４がロックプレート１３の一端１３１の下部に当接することとなり、引出ハンドル７は回動を阻止される。又、引出ハンドル７を反時計方向に回動させようとした場合、引出ハンドル７の当接部７４１がロックプレート１３の一端１３１の上部に当接することとなり、引出ハンドル７は回動を阻止される。
【００２５】
前述したように、ロックプレート１３がその一端１３１をカバー１２の角穴１２２から突出させた位置にあるときは、スクリューロック１０はその凹部１０２がメインスクリュー５のピン６に係合した第１の位置にあり、スクリューロック１０によりメインスクリュー５の回動が阻止された状態にある。従がって、引出ハンドル７の回動がロックプレート１３の一端１３１により阻止されることにより、メインスクリュー５のピン６の折損等の故障が未然に防止される。
【００２６】
このとき、引出ハンドル７の操作者は、引出ハンドル７の回動が妨げられることにより、ロックプレート１３の一端１３１がカバー１２の角穴１２２から突出していることを必然的に視覚的に認識することとなり、ロックプレート１３を遮断器本体２側に押し込む操作を行う。これにより、前述したようにロックプレートの段部１３３がカバー１２の角穴１２２の内周縁に係合してその位置に保持される。ロックプレート１３が図２に示す位置から図３に示す位置に移動することにより、スクリューロック１０はロックプレート１３１の他端１３２により押圧されて第１の位置から第２の位置へ移動し、その凹部１０２とピン６との係合が解かれメインスクリュー５の回動が可能となる。
【００２７】
ロックプレート１３が押し込まれて図３に示す位置に保持されると、引出ハンドル７の当接部７４１乃至７４４はロックプレート１３の一端１３１に当接することがなく、引出ハンドル７の回動は妨げられることがない。この状態に於いて、今、引出形遮断器１００が遮断器本体２を引出枠１内に収納した状態にあるとすれば、操作者が引出ハンドル７を反時計方向に回動させることにより、メインスクリュー５とインサートスクリュー３との螺合を解き、遮断器本体２を引出枠１から引出すことができる。遮断器１が所定位置まで引出されると、前述したように位置検出機構の動作により係合解除部材１４を介してロックプレート１３を押上げ、ロックプレート１３の段部１３３とカバー１２の角穴１２２の内周縁との係合を解除し、ロックプレート１３を図２に示す位置に復帰させる。これにより、再びメインスクリュー５はスクリューロック１０により回動が阻止された状態となる。
【００２８】
他方、遮断器本体２が引出枠１から引出された状態にあるとき、ロックプレート１３が押し込まれて図３に示す位置に保持されたとすれば、操作者が引出ハンドル７を時計方向に回動させることにより、メインスクリュー５とインサートスクリュー３との螺合が進み、遮断器本体２を引き込んで引出枠１内に挿入することができる。遮断器本体１が所定位置まで挿入されると、前述したように位置検出機構の動作により係合解除部材１４を介してロックプレート１３を押上げ、ロックプレート１３の段部１３３とカバー１２の角穴１２２の内周縁との係合を解除し、ロックプレート１３を図２に示す位置に復帰させる。これにより、再びメインスクリュー５はスクリューロック１０により回動が阻止された状態となる。
【００２９】
以上のように、この発明の実施の形態１に係る引出形遮断器及び引出ハンドルによれば、引出ハンドル７の操作者は、引出ハンドル７の回動が妨げられることにより、ロックプレート１３の一端１３１がカバー１２の角穴１２２から突出していることを必然的に視覚的に認識し、メインスクリュー５がロック状態であることを確実に認識することができ、引出ハンドル７の無理な回動による構成部品の破損等を防止することができる。
【００３０】
実施の形態２．
図７は、この発明の実施の形態２に於ける引出形遮断器の斜視図、図８は、その一部分の断面図、図９は、その一部分の正面図である。図７乃至図９に於いて、引出形遮断器１０１は、引出枠１０００と、この引出枠１０００に対して挿入又は引出し可能に構成された遮断器本体２０００とから構成されている。遮断器本体２０００のカバー１２の丸穴１２１に回動自在に嵌挿された回動部材１２３は、メインスクリュー５に設けられている六角穴５１とほぼ同程度の大きさの六角貫通穴１２３０を備えている。又、この回動部材１２３の外周部には、回動部材１２３の軸心の周りに９０度間隔で配置された４個の当接部１２３１、１２３２、１２３３、１２３４が設けられている。回動部材１２３は、その貫通穴１２３０内に挿入された引出ハンドル７の軸部７１の周面に接触して引出ハンドル７の回動が伝達され、引出ハンドル７の回動と共に回動することができる。その他の構成は、実施の形態１と同様である。
【００３１】
実施の形態２に係る引出遮断器１０１に用いる引出ハンドルは、図示していないが、実施の形態１に示したように他端にメインスクリュー５の六角穴５１に係合する六角柱を備えると共に、回動部材１２３の六角貫通穴１２３０に係合する六角部を備えている。この引出ハンドルの六角柱と六角部とは、軸心の周りに３０度ずれて配置されている。又、この引出ハンドルには、実施の形態１に示したような当接部７４１乃至７４４を備えていない。
【００３２】
以上のように構成されたこの発明の実施の形態２に係る引出形遮断器に於いて、引出枠１０００から遮断器本体２１００を引出す場合又は引出枠１０００に遮断器本体２０００を挿入する場合は、回動部材１２３の六角貫通穴１２３０を通して、引出ハンドルの他端部に設けられた六角柱をメインスクリュー５の六角穴５１に挿入する。そして、回動部材１２３は、その六角貫通穴１２３０が引出ハンドルの六角部に合致するように位置が調整され、引出ハンドルの六角部に係合される。このとき、ロックプレート１３の一端１３１は、図８に示すようにカバー１２の角穴１２２から突出しており、引出ハンドル７を時計方向若しくは反時計方向に回動させると、回動部材１２３も同時に回動し、その当接部７４４若しくは７４１がロックプレート１３の一端１３１の下部若しくは上部に当接しその回動が阻止される。
【００３３】
従がって、実施の形態１の場合と同様に、引出ハンドル７の操作者は、引出ハンドル７の回動が妨げられることにより、ロックプレート１３の一端１３１がカバー１２の角穴１２２から突出していることを必然的に視覚的に認識することとなり、ロックプレート１３を遮断器本体２側に押し込んで、図８の１３１１の位置とする。これにより、ロックプレートの段部１３３がカバー１２の角穴１２２の内周縁に係合してその位置に保持される。ロックプレート１３が図２に示す位置から図３に示す位置に移動することにより、スクリューロック１０はロックプレート１３の他端１３２により押圧されて第１の位置から第２の位置へ移動し、その凹部１０２とピン６との係合が解かれメインスクリュー５の回動が可能となる。
【００３４】
その後の遮断器本体２１００の引出し動作、若しくは挿入動作は、実施の形態１の場合と同様である。
【００３５】
以上のように、この発明の実施の形態２に係る引出形遮断器によれば、引出ハンドル７の回動が阻止されることにより、ロックプレート１３の一端１３１がカバー１２の角穴１２２から突出していることを必然的に視覚的に認識し、メインスクリュー５がロック状態であることを確実に認識することができ、引出ハンドルを無理に回動させることによる構成部品等の破損を防止することができる。
【図面の簡単な説明】
【００３６】
【図１】この発明の実施の形態１に係る引出形遮断器とその引出ハンドルの斜視図である。
【図２】この発明の実施の形態１に係る引出形遮断器とその引出ハンドルの操作状態を示す図１のＡ−Ａ線に沿う矢印方向の部分断面図である。
【図３】この発明の実施の形態１に係る引出形遮断器とその引出ハンドルの別の操作状態を示す図１のＡ−Ａ線に沿う矢印方向の部分断面図である。
【図４】この発明の実施の形態１に係る引出形遮断器のメインスクリューをロックするロック機構の概略を示す斜視図である。
【図５】この発明の実施の形態１に係る引出形遮断器のロックプレートとカバーの部分拡大図である。
【図６】この発明の実施の形態１に係る引出形遮断器とその引出ハンドルの図２のＢ−Ｂ線に沿う矢印方向の断面を含む一部分の正面図である。
【図７】この発明の実施の形態２に係る引出形遮断器の斜視図である。
【図８】この発明の実施の形態２に係る引出形遮断器の一部分の断面図である。
【図９】この発明の実施の形態２に係る引出形遮断器の一部分の正面図である。
【符号の説明】
【００３７】
１００、１０１    引出形遮断器
１、１０００    引出枠
２、２０００    遮断器本体
３    インサートスクリュー
５    メインスクリュー
５１    六角穴
５２    雄ネジ
５３    鍔部
６    ピン
７    引出ハンドル
７１    軸部
７２    把手
７３    六角柱
７４１、７４２、７４３、７４４    引出ハンドルの当接部
８    引出機構フレーム
８１    桟
９    遮断器本体のフレーム
９１    貫通穴
１０    スクリューロック
１０１    貫通穴
１０２  凹部
１０３    係合片
１２    カバー
１２１    丸穴
１２２    角穴
１３    ロックプレート
１３１    ロックプレートの一端
１３２    ロックプレートの他端
１２３    回動部材
１２３１、１２３２、１２３３、１２３４    回動部材の当接部
【図１】
2008131818.tif 000003
【図２】
2008131818.tif 000004
【図３】
2008131818.tif 000005
【図４】
2008131818.tif 000006
【図５】
2008131818.tif 000007
【図６】
2008131818.tif 000008
【図７】
2008131818.tif 000009
【図８】
2008131818.tif 000010
【図９】
2008131818.tif 000011